(57)【要約】      （修正有）【課題】フィルター捕集性能の局部的な低下を軽減することが可能なクリーンユニットを提供する。【解決手段】定着装置から発生した気体を取り込み、取込んだ気体をフィルター９０４を通して外部へ排気するクリーンユニットであって、出口９０２Ｂが前記フィルター主表面の一部に対向しており、入口９０２Ａから取り込まれた前記気体を前記フィルター主表面の一部に向かって導くエアダクト９０２と、前記気体を入口９０２Ａから取り込ませてフィルター９０４を通過させる排気手段９０１と、出口９０２Ｂとフィルター９０４との間に介在されており、出口９０２Ｂまで送られてきた前記気体の流路方向を変更して、前記フィルター主表面の出口９０２Ｂと対向する領域以外の領域に分散させる流路分散部材９０３Ｃと、を備える.【選択図】図１０
2016156994.tif 000002
【特許請求の範囲】
【請求項１】
画像形成装置内から発生した気体を取り込み、取込んだ気体をフィルターを通して外部へ排気するクリーンユニットであって、
出口が前記フィルター主表面の一部に対向しており、入口から取り込まれた前記気体を前記フィルター主表面の一部に向かって導くエアダクトと、
前記気体を前記入口から取り込ませて前記フィルターを通過させるファンと、
前記出口と前記フィルターとの間に介在されており、前記出口まで送られてきた前記気体の流路方向を変更して、前記フィルター主表面の前記出口と対向する領域以外の領域に分散させる流路分散部材と、
を備えることを特徴とするクリーンユニット。
【請求項２】
前記エアダクトは、出口に向かって前記フィルターの主表面と対向するように屈曲し、前記出口から前記フィルター主表面に到る前記気体の流路の流路断面積は、前記出口の流路断面積より大きい
ことを特徴とする請求項１記載のクリーンユニット。
【請求項３】
前記流路分散部材は、前記出口と対向する側の主面が前記出口側に向かって山形に膨出している
ことを特徴とする請求項１又は２記載のクリーンユニット。
【請求項４】
前記流路分散部材は、前記山形の斜面が前記出口に沿う方向において凹状に湾曲している
ことを特徴とする請求項１〜３の何れかに記載のクリーンユニット。
【請求項５】
前記山形は、円錐形状である
ことを特徴とする請求項２〜４の何れかに記載のクリーンユニット。
【請求項６】
前記ファンは、前記入口より流路方向上流側で前記気体を吸引し、吸引した前記気体を前記フィルターの主表面に沿うように排出して前記入口から取り込ませ、
前記円錐形状は、頂点の位置が、前記出口の中心軸より前記入口への排出方向側にずれた位置にある非対称の円錐形状である
ことを特徴とする請求項５記載のクリーンユニット。
【請求項７】
前記出口の周囲には複数のリブが配置され、前記流路分散部材は、前記複数のリブにより支持されている
ことを特徴とする請求項１〜５の何れかに記載のクリーンユニット。
【請求項８】
前記複数のリブは、前記出口の周囲に螺旋状に配置されている
ことを特徴とする請求項７記載のクリーンユニット。
【請求項９】
前記流路分散部材の主面には少なくとも1つ以上の貫通孔が形成されている
ことを特徴とする請求項１又は２に記載のクリーンユニット。
【請求項１０】
請求項１〜９の何れかに記載のクリーユニットを備える
ことを特徴とする画像形成装置。
【請求項１１】
前記クリーンユニットは、背面側に配置されている
ことを特徴とする請求項１０記載の画像形成装置。
【発明の詳細な説明】
【技術分野】
【０００１】
本発明は、プリンター、複写機及びプリンター複合機等の画像形成装置が備える定着装置から発生した気体を取り込み、フィルターを通して外部へ排気するクリーンユニットに関する。
【背景技術】
【０００２】
プリンター、複写機等の画像形成装置では、快適なオフィス環境を実現するため、定着装置等から発生する揮発性有機化合物（ＶＯＣ（Volatile Organic Compounds））等の浮遊物質が機外へ排出されてオフィス環境に影響を与えないように、上記浮遊物質を含む気体を取り込んでフィルターで上記浮遊物質を捕集した後、残余の気体を外部へ排気するようにしている。
【０００３】
上記のように、フィルターを通して浮遊物質を捕集して排気する機構は、クリーンユニットと称され、排気ファン、エアダクト、フィルター等から構成されている。
近年、オフィス環境をクリーンにすることへの関心の高まりとともに、クリーンユニットのフィルター性能を向上させ、上記浮遊物質の機外への排出量をできるだけ低量に抑える必要性が高まっている。フィルター性能を高めるためには、フィルターの表面積を大きくしたり、フィルターの厚みを厚くしたりすることが考えられるが、フィルターの厚みを厚くすると、その分、画像形成装置の奥行の長さが長くなり、オフィスにおけるスペースの利用効率が悪くなるので、フィルターの表面積を大きくする方法がよく用いられている。
【０００４】
又、画像形成装置全体のサイズをコンパクトにするため、例えば、特許文献１に開示されているクリーンユニット（粉塵除去装置）では、コンパクトなサイズで表面積を大きくとることができる蛇腹状のフィルター（プリーツ部６）を用いるとともに、上記気体をフィルターへ導く通路の流路断面積が、当該通路がフィルター収容部（プリーツ部６）の入口に達すると急拡大し、当該入口とフィルターの配置位置とが近接するように構成されている。
【０００５】
これにより、画像形成装置全体を大型化することなく、フィルター性能を向上させることができる。
【先行技術文献】
【特許文献】
【０００６】
【特許文献１】特開２００２−１４５８３号公報
【発明の概要】
【発明が解決しようとする課題】
【０００７】
上記の先行技術では、気体の流路が、フィルター収容部内で急拡大し、上記入口からフィルターの配置位置までの距離が近接しているため、当該入口からフィルター収容部内に取り込まれた上記気体は、フィルターの表面全体に渡って広がる前に、上記入口と対向する領域に主として導かれる。このため、上記浮遊物質は、主として当該対向領域において捕集されることになり、その結果、当該対向領域におけるフィルターの捕集性能が、他の領域より早く低下してしまい、当該対向領域において目詰まりが生じやすくなり、フィルター寿命が短くなってしまう。
【０００８】
本発明は、上述のような問題に鑑みて為されたものであって、フィルター捕集性能の局部的な低下を軽減することが可能なクリーンユニット及び当該クリーンユニットを備える画像形成装置を提供することを目的とする。
【課題を解決するための手段】
【０００９】
上記目的を達成するため、本発明の一形態に係るクリーンユニットは、定着装置から発生した気体を取り込み、取込んだ気体をフィルターを通して外部へ排気するクリーンユニットであって、出口が前記フィルター主表面の一部に対向しており、入口から取り込まれた前記気体を前記フィルター主表面の一部に向かって導くエアダクトと、前記気体を前記入口から取り込ませて前記フィルターを通過させるファンと、前記出口と前記フィルターとの間に介在されており、前記出口まで送られてきた前記気体の流路方向を変更して、前記フィルター主表面の前記出口と対向する領域以外の領域に分散させる流路分散部材と、
を備える。
【００１０】
ここで、前記エアダクトは、出口に向かって前記フィルターの主表面と対向するように屈曲し、前記出口から前記フィルター主表面に到る前記気体の流路の流路断面積は、前記出口の流路断面積より大きいこととすることができる。
又、前記流路分散部材は、前記出口と対向する側の主面が前記出口側に向かって山形に膨出していることとすることができる。
【００１１】
又、前記流路分散部材は、前記山形の斜面が前記出口に沿う方向において凹状に湾曲していることとすることができる。前記山形は、円錐形状であることとすることができる。
又、前記ファンは、前記入口より流路方向上流側で前記気体を吸引し、吸引した前記気体を前記フィルターの主表面に沿うように排出して前記入口から取り込ませ、前記円錐形状は、頂点の位置が、前記出口の中心軸より前記入口への排出方向側にずれた位置にある非対称の円錐形状であることとすることができる。
【００１２】
前記出口の周囲には複数のリブが配置され、前記流路分散部材は、前記複数のリブにより支持されていることとすることができる。さらに、前記複数のリブは、前記出口の周囲に螺旋状に配置されていることとすることができる。
又、前記流路分散部材の主面には少なくとも1つ以上の貫通孔が形成されていることとすることができる。
【００１３】
又、本発明の一形態に係る画像形成装置は、前記クリーンユニットを備える画像形成装置とすることができる。又、前記クリーンユニットは、背面側に配置されていることとすることができる。
【発明の効果】
【００１４】
上記構成では、エアダクトの出口まで送られてきた気体が、フィルター面の上記出口と対向する領域以外の領域に分散されるように流路方向が変更されるので、当該対向領域におけるフィルターの捕集性能が急速に低下して目詰まりが生じやすくなり、それにより、フィルター寿命が短くなるのを防止することができる。すなわち、フィルター領域内におけるフィルター捕集性能の居部的な低下を軽減し、その分、フィルター寿命を延ばすことができる。
【図面の簡単な説明】
【００１５】
【図１】本実施の形態に係る画像形成装置１の外観を示す斜視図である。
【図２】画像形成装置１の構成を示す断面図である。
【図３】定着装置４０と排紙部８０とクリーンユニット９０の関係を示す斜視図である。
【図４】クリーンユニット９０を排紙部８０から脱着した状態を示す斜視図である。
【図５】ファン９０１及びエアダクト９０２の構成の詳細を示す拡大斜視図である。
【図６】エアダクト９０２の出口９０２Ｂより流路方向上流側から見たリブ９０２１と流路分散部材９０３を示す斜視図である。
【図７】エアダクト９０２の出口９０２Ｂより流路方向下流側から見たリブ９０２１と流路分散部材９０３を示す分解斜視図である。
【図８】流路分散部材９０３を、出口９０２Ｂと対向する側の主面の形状が平らな円盤形状の部材で構成した場合における、エアダクト９０２から静電フィルター９０４に到る雰囲気気体の流れを模式的に示した図である。
【図９】流路分散部材９０３の出口９０２Ｂと対向する側の主面の形状を円錐形状で構成した場合における、エアダクト９０２から静電フィルター９０４に到る雰囲気気体の流れを模式的に示した図である。
【図１０】流路分散部材９０３の出口９０２Ｂと対向する側の主面の形状を非対称の円錐形状で構成した場合における、エアダクト９０２から静電フィルター９０４に到る雰囲気気体の流れを模式的に示した図である。
【発明を実施するための形態】
【００１６】
(実施の形態)
以下、本発明の実施の形態に係る画像形成装置について、図面を参照しながら説明する。
［１］画像形成装置の構成
図１は、本実施の形態に係る画像形成装置の外観を示す斜視図である。画像形成装置１は、複合機（multi-function peripheral：ＭＦＰ）であり、矢印Ａで示す正面側に操作パネル６０を備え、矢印Ｂで示す背面側に後述する不図示のクリーンユニットが配置されている。又、画像形成装置１は、その筐体の上に画像読取装置７０を備える。
【００１７】
図２は、画像形成装置１の構成を示す断面図である。同図に示すように、画像形成装置１は、電子写真方式により画像を形成するものであり、画像プロセス部１０、給紙部３０、定着装置４０、制御部５０、操作パネル６０、画像読取装置７０を備えている。
画像形成装置１は、ネットワーク（例えばＬＡＮ）に接続され、外部の端末装置（不図示）や操作パネルから印刷指示を受け付けると、その指示に基づいてイエロー、マゼンタ、シアンおよびブラックの各色のトナー像を形成し、これらを記録シートへ多重転写してフルカラーの画像を形成することにより、記録シートへの印刷処理を実行する。以下、イエロー、マゼンタ、シアン、ブラックの各再現色をＹ、Ｍ、Ｃ、Ｋと表し、各再現色に関連する構成要素（後述する作像部）の番号にこのＹ、Ｍ、Ｃ、Ｋを添字として付加する。
【００１８】
画像プロセス部１０は、作像部１０Ｙ、１０Ｍ、１０Ｃ、１０Ｋ、中間転写ベルト２１、二次転写ローラー２７などを有している。作像部１０Ｙ、１０Ｍ、１０Ｃ、１０Ｋの構成は、いずれも同様の構成であるため、以下、主として作像部１０Ｙの構成について説明する。
作像部１０Ｙは、感光体ドラム１１と、その周囲に配設された帯電器１２、露光部１３、現像器１４、感光体ドラム１１を清掃するためのクリーナー１５などを有しており、感光体ドラム１１上にＹ色のトナー像を作像する。帯電器１２は、回転する感光体ドラム１１の周面を帯電させる。
【００１９】
露光部１３は、レーザーダイオードなどの発光素子を備え、制御部５０からの駆動信号によりＹ色の画像形成のためのレーザー光Ｌを発し、帯電された感光体ドラム１１をレーザー光Ｌにより露光して、感光体ドラム１１上に静電潜像を形成する。
現像器１４は、感光体ドラム１１に対向するように配置され、感光体ドラム１１に帯電トナーを搬送する。中間転写ベルト２１は、無端状のベルトであり、駆動ローラー２４と従動ローラー２５、２６に張架されて矢印Ｃ方向に周回駆動される。各感光体ドラム上に形成された静電潜像は、作像部１０Ｙ、１０Ｍ、１０Ｃ、１０Ｋの各現像器により現像されて各感光体ドラム上に対応する色のトナー像（未定着画像）が形成される。
【００２０】
形成されたトナー像は、作像部１０Ｙ、１０Ｍ、１０Ｃ、１０Ｋに対応する各一次転写ローラー（図１では、作像部１０Ｙに対応する一次転写ローラーのみ符号２２を付し、他の一次転写ローラーについては、符号を省略している。）により、中間転写ベルト２１上の同じ位置で重ね合わされるように、中間転写ベルト２１上にタイミングをずらして順次一次転写された後、二次転写ローラー２７による静電力の作用により中間転写ベルト２１上のトナー像が一括して記録シート上に二次転写される。
【００２１】
給紙部３０は、記録シート（ここでは、符号Ｓで示す用紙）を収容する給紙カセット３１と、給紙カセット３１の用紙Ｓをシート搬送路上に1枚ずつ繰り出す繰り出しローラー３２と、繰り出された用紙Ｓを搬送する搬送ローラー３３、タイミングローラー３４を備える。
タイミングローラー３４は、中間転写ベルト１１上の同じ位置で重ね合わされるように中間転写ベルト１１上に一次転写されたトナー像が二次転写位置２８に搬送されるタイミングに合わせて、記録シートを二次転写位置２８に搬送する。そして、二次転写位置２８において、二次転写ローラー２７により中間転写ベルト１１上のトナー像が一括して記録シート上に二次転写される。
【００２２】
定着装置４０は、定着ローラー４１、加熱ローラー４２（ここでは、例えば、加熱方式がハロゲンヒーターによる加熱方式の定着ローラーを用いることとする。）、両者のローラーによって張架される定着ベルト４３、定着ベルト４３を介して定着ローラー４１を押圧して定着ニップを形成する加圧ローラー４４等から構成され、トナー像が二次転写された記録シートを定着ニップにおいて加熱及び加圧してトナー像を記録シートに熱定着する。
【００２３】
定着ローラー４１、加熱ローラー４２、定着ベルト４３、及び加圧ローラー４４は、ハウジング４５内に収納され、ハウジング４５の搬送方向の両側には、記録シートが通過するための不図示のスリット（隙間）が形成されている。
定着装置４０において熱定着された記録シートは、後述する排紙部を介して排出ローラー８１へ搬送された後、排出ローラー８１により排紙トレイ８２に排出される。
【００２４】
制御部５０は、所謂コンピューターであって、ＣＰＵ（Central Processing Unit）、ＲＯＭ（Read Only Memory）、ＲＡＭ（Random Access Memory）等から構成され、画像形成装置１全体の制御を行う。操作パネル６０は、液晶ディスプレイ、液晶ディスプレイに積層されたタッチパネルや各種指示を入力するための操作ボタン等から構成され、タッチパネルや操作ボタン等の操作を介してユーザーから各種指示の入力を受け付ける。画像読取装置７０は、スキャナなどの画像入力装置から構成され、用紙等の記録シートに記載されている文字、図形、写真などの画像の情報を読取り、画像データを形成する。
【００２５】
［２］クリーンユニットの構成
図３は、定着装置と排紙部とクリーンユニットの関係を示す斜視図である。同図に示すように、クリーンユニット９０は、ファン９０１、エアダクト９０２、流路分散部材９０３、静電フィルター９０４（ここでは、フィルターの主表面の表面積を大きくするため、蛇腹折された静電フィルターが用いられている。）等から構成される。クリーンユニット９０は、図４に示すように排紙部８０から着脱可能なように構成されている。同図において、ダクト８０１の出口部を、ファン９０１に設けられた、当該出口部と係合可能な矩形状の開口部を有する係合部９０１０に挿入することにより、ダクト８０１の出口部とファン９０１とを接続させることができる。
【００２６】
図３の説明に戻って、ファン９０１は、クリーンユニット９０の流路方向入口側に設けられ、排紙部８０に設けられたダクト８０１の出口部と接続されている。図５は、ファン９０１及びエアダクト９０２の構成の詳細を示す拡大斜視図である。ファン９０１は、同図に示すように、羽根車９０１Ａとケーシング９０１Ｂとファンモーター９０１Ｃ等から構成されるシロッコ型の遠心ファンであり、定着装置４０内及び定着装置４０の周辺部等を含む画像形成装置１内で発生した浮遊物質を含む気体（以下、「雰囲気気体」という。）を、図３のダクト８０１に設けられた不図示の取り込み口からダクト８０１内に取り込み、取り込んだ雰囲気体を回転軸方向（図３、図５の点線矢印Ｅの示す方向）に吸引し、吸引した雰囲気気体を回転による遠心力が働く方向（図３、図５の点線矢印Ｆで示すフィルター９０４の主表面に沿う方向）へ排出する。
【００２７】
エアダクト９０２は、図３、図５に示すように出口９０２Ｂに向かって静電フィルター９０４の主表面と対向するように屈曲して静電フィルター９０４が収容されているハウジング９０５内に臨んでいる。又、エアダクト９０２の出口９０２Ｂの周囲には、図５、図６、図７に示すように、螺旋状に配列されたリブ９０２１が形成され、これらのリブ９０２１により、後で詳述する流路分散部材９０３が支持されている。
【００２８】
図６は、エアダクト９０２の出口９０２Ｂより流路方向上流側から見たリブ９０２１と流路分散部材９０３を示す斜視図である。図７は、エアダクト９０２の出口９０２Ｂより流路方向下流側から見たリブ９０２１と流路分散部材９０３を示す分解斜視図である。
図７では、エアダクト９０２の出口部材上に形成された出口９０２Ｂの周囲にリブ９０２１が形成され、各リブ９０２１に出口９０２Ｂと対向する側の主面の形状が非対称の円錐形状の流路分散部材９０３が支持される様子が分解斜視図で示されている。
【００２９】
上記各リブは、出口９０２Ｂからの雰囲気気体の排出方向（旋回方向）に沿うように配列されている。なお、流路分散部材９０３は、リブ９０２１に固着されてもよいし、リブと一体成形することとしてもよい。
又、リブを設けることなく、ハウジング９０５内において流路分散部材９０３を固定する構成としてもよいが、リブ９０２１を設けることにより、出口９０２Ｂから排出される雰囲気気体をリブに沿わせながら流路分散部材９０３へ効率よく導くことができるので、リブを設けない場合に比べて、雰囲気気体の圧力損失を少なくすることができ、排気効率を高めることができる。
【００３０】
図３の説明に戻ってエアダクト９０２内に取り込まれた雰囲気気体は、出口９０２Ｂを通過し、出口９０２Ｂと静電フィルター９０４との間に介在するように配置された板状の流路分散部材９０３の主面（出口９０２Ｂと対向する側の主面）に沿うように静電フィルター９０４が収容されている筐体９０５内に流入し、静電フィルター９０４を通して浮遊物資が捕集された後、機外へ排気される。
【００３１】
これにより、雰囲気気体が出口９０２Ｂから直接、筐体９０５内に流入して、雰囲気気体が静電フィルター９０４の主表面の出口９０２Ｂと対向する領域に集中的に流れ込むのを抑制し、雰囲気気体が静電フィルター９０４の主表面全域に広がるように流路方向を規制することができる。
流路分散部材９０３の出口９０２Ｂと対向する側の主面の形状は、上記のように雰囲気気体が静電フィルター９０４の主表面全域に広がるように流路方向を規制することができる形状のものであればよく、例えば、図８〜図１０に例示する形状のものを用いることができる。
【００３２】
図８は、流路分散部材９０３を、上記主面の形状が平らな板状部材（ここでは、円盤形状の部材）で構成した場合における、エアダクト９０２から静電フィルター９０４に到る雰囲気気体の流れ（ここでは、雰囲気気体の流れを矢印で示している。）を模式的に示した図である。同図の符号９０１は、ファンを、符号９０２は、エアダクトを、符号９０２Ａは、エアダクト９０２の入口を、符号９０２Ｂは、エアダクト９０２の出口を、符号９０３は、流路分散部材を、符号９０４は、静電フィルターを、符号９０５は、筐体を、符号Ｆで示す白矢印は、ファン９０１からエアダクト９０２への雰囲気気体の排出方向をそれぞれ示す。後述する図９、図１０についても同様である。
【００３３】
図８に示すように、出口９０２Ｂに導かれた雰囲気気体は、流路分散部材９０３の平らな主面に衝突しながら、当該主面に沿うように静電フィルター９０４の表面全域に分散してゆく。なお、図示していないが、流路分散部材９０３の背面と対向する領域にも他の領域よりも流入量は少なくなるが、筐体９０５の内壁や静電フィルター９０４の表面等に衝突して向きを変えた雰囲気気体が流れ込む。後述する図９、図１０についても同様である。
【００３４】
図９は、流路分散部材９０３の出口９０２Ｂと対向する側の主面の形状を円錐形状で構成した場合における、エアダクト９０２から静電フィルター９０４に到る雰囲気気体の流れを模式的に示した図である。図９の場合も図８の場合と同様に、出口９０２Ｂに導かれた雰囲気気体は、流路分散部材９０３の傾斜した曲面の主面に接触しながら、当該曲面に沿うように静電フィルター９０４の主表面全域に分散してゆく。又、雰囲気気体が、流路分散部材９０３の傾斜した曲面の主面に接触しながら静電フィルター９０４の表面全域に分散されるので、流路分散部材９０３の主面が平らな面である場合に比べ、流路分散部材９０３との接触による圧力損失を少なくすることができ、雰囲気気体の排気効率を高めることができる。
【００３５】
図１０は、流路分散部材９０３の出口９０２Ｂと対向する側の主面の形状を非対称の円錐形状で構成した場合における、エアダクト９０２から静電フィルター９０４に到る雰囲気気体の流れを模式的に示した図である。流路分散部材９０３は、上記円錐形状の頂点の位置が、出口９０２Ｂの中心軸より排出方向Ｆ側にずれた位置になるように配置されている。図１０の場合も図９の場合と同様に、出口９０２Ａに導かれた雰囲気気体は、流路分散部材９０３の傾斜した曲面の主面に接触しながら、当該曲面に沿うように静電フィルター９０４の主表面全域に分散してゆき、図９の場合と同様に流路分散部材９０３の主面が平らな面である場合に比べ、流路分散部材９０３との接触による圧力損失を少なくすることができ、雰囲気気体の排気効率を高めることができる。
【００３６】
図１０の形状の場合には、さらに、非対称円錐形状の頂点より雰囲気気体の排出方向Ｆと逆方向側の斜面（以下、「逆方向側斜面」という。）の表面積の方が、当該頂点より当該排出方向Ｆ側の斜面の表面積（以下、「順方向側斜面」という。）よりも大きいので、出口９０２Ｂから排出される雰囲気気体を逆方向斜面側に導きやすくすることができ、その分、流路方向が排出方向Ｆ側に偏らないように調整することができる。
【００３７】
雰囲気気体は、排出方向Ｆ側に向けて排出されてくるので、出口９０２Ｂと対向する領域において、逆方向側斜面と順方向側斜面の表面積を同じにすると、雰囲気気体が、順方向側斜面に偏って排出されることになり、出口９０２Ｂと対向する領域より排出方向Ｆ側に配置されている静電フィルター９０４の主表面領域と、当該対向領域より排出方向Ｆと逆方向側に配置されている静電フィルター９０４の主表面領域との間で浮遊物質の捕集量に差が生じやすくなる。
【００３８】
このため、流路分散部材９０３の形状を図１０のような非対称の円錐形状とすることにより、上記のような捕集量の差を生じにくくし、フィルター領域によってフィルター性能に差が生じるのを低減することができる。
このように、本実施の形態では、エアダクト９０２の出口９０２Ｂから筐体９０５内における静電フィルター９０４の配置位置までの距離が近接し、出口９０２Ｂの流路断面積より、雰囲気気体が排出される筐体９０５内の流路断面積が拡大しているクリーンユニット９０の構成において、エアダクト９０２の出口９０２Ｂの流路方向下流側の近傍に雰囲気気体の流路方向を変更して分散させる流路分散部材９０３が出口９０２Ｂと静電フィルター９０４との間に介在するように配置されている。これにより、出口９０２Ｂから筐体９０５内に排出された雰囲気気体が、直接、静電フィルター９０４の主表面の出口９０２Ｂと対向する領域に集中的に流入しないように流路方向を変更して当該雰囲気気体を静電フィルター９０４の当該対向領域以外の領域に分散させることができる。
【００３９】
その結果、当該対向領域におけるフィルターの捕集性能が急速に低下して目詰まりが生じやすくなり、それにより、フィルター寿命が短くなるのを防止することができる。すなわち、フィルター領域内におけるフィルター捕集性能の居部的な低下を軽減し、その分、フィルター寿命を延ばすことができる。
（変形例）
以上、本発明を上記実施の形態に基づいて説明してきたが、本発明が上記実施の形態に限定されないのは勿論であり、以下のような変形例を実施することができる。
【００４０】
（１）上記実施形態では、流路分散部材９０３との接触による圧力損失を少なくする流路分散部材９０３の形状（出口９０２Ｂと対向する側の主面の形状）の具体例として、円錐形状のものを挙げたが、当該形状は、円錐形状に限定されず、角錐、角錐台、円錐台等を含む山形形状であればよい。
又、上記圧力損失をより少なくするために、山形の斜面を出口９０２Ｂに沿う方向において凹状に湾曲させた形状とすることとしてもよい。
【００４１】
（２）又、流路分散部材９０３の主面に少なくとも1つ以上の貫通孔を形成することとしてもよい。これにより、流路分散部材９０３の背面（出口９０２Ｂと対向しない側の主面）と対向する領域にも出口９０２Ｂから排出された雰囲気気体の一部を流れ込ませることができ、静電フィルター９０４の主表面の流路分散部材９０３の背面と対向する領域とそれ以外の領域との間の雰囲気気体の流入量の差を小さくすることができ、両領域間においてフィルター捕集性能に差が生じにくくすることができる。
【００４２】
（３）上記実施の形態では、蛇腹折された静電フィルターを用いることとしたが、上記実施形態の流路分散部材９０３の構成は、蛇腹折された静電フィルター以外の静電フィルター（例えば、平板状の静電フィルター）や静電フィルター以外のフィルターにも適用できることは勿論のことである。
【産業上の利用可能性】
【００４３】
プリンター、複写機及びプリンター複合機等の画像形成装置が備える定着装置から発生した気体を取り込み、フィルターを通して外部へ排気するクリーンユニットに関する技術として利用できる。
【符号の説明】
【００４４】
１                      画像形成装置
１０                    画像プロセス部
３０                    給紙部
４０                    定着装置
５０                    制御部
８０                    排紙部
９０                    クリーンユニット
９０１                  ファン
９０２                  エアダクト
９０３                  流路分散部材
９０４                  静電フィルター
９０５                  筐体
【図１】
2016156994.tif 000003
【図２】
2016156994.tif 000004
【図３】
2016156994.tif 000005
【図４】
2016156994.tif 000006
【図５】
2016156994.tif 000007
【図６】
2016156994.tif 000008
【図７】
2016156994.tif 000009
【図８】
2016156994.tif 000010
【図９】
2016156994.tif 000011
【図１０】
2016156994.tif 000012